(57)【要約】【課題】  薄型化及び軽量化が容易でＪＩＳ−Ｚ−４９１８−１９９５で規定される輝度性能の実現が容易なエッジライト方式の医用Ｘ線写真観察器を提供する。【解決手段】  Ｘ線写真フィルムを保持する保持部２と、これにより保持されるＸ線写真フィルムの背後に位置する面光源部４とを備える。面光源部４は熱陰極管４１と導光板４０と熱陰極管駆動のための電子安定器とを有する。導光板４０は熱陰極管と対向する光入射端面４０ａと熱陰極管から発せられ光入射端面に入射し導光される光を出射する光出射面４０ｂとを有する。電子安定器は整流回路部とそこで得られる直流を高周波電流に変換するインバータ部とを有し、インバータ部は発振回路とその動作を制御する制御回路とを有し、発振回路が熱陰極管に接続されている。電子安定器は発振回路の出力が所定範囲から外れたときに発振回路の動作を停止させるための信号を制御回路へと入力する保護回路を備える。【選択図】  図３
2005316464.tif 000002
【特許請求の範囲】
【請求項１】
透過観察される画像担持体を保持する保持部と、該保持部により保持される前記画像担持体の背後に位置する面光源部とを備える医用Ｘ線写真観察器であって、
前記面光源部は一次光源と導光板と前記一次光源の駆動のための電子安定器とを有しており、前記導光板は前記一次光源と対向する光入射端面と前記一次光源から発せられ前記光入射端面に入射し導光される光を出射する光出射面とを有しており、
前記一次光源は熱陰極管からなり、前記電子安定器は交流を直流に変換する整流回路部と該整流回路部で得られる直流を高周波電流に変換するインバータ部とを有しており、該インバータ部は発振回路と該発振回路の動作を制御する制御回路とを有し、前記発振回路が前記熱陰極管に接続されており、
前記電子安定器は前記発振回路の出力が所定範囲から外れたときに該発振回路の動作を停止させるための信号を前記制御回路へと入力する保護回路を備えていることを特徴とする医用Ｘ線写真観察器。
【請求項２】
前記制御回路は前記発振回路の動作制御のための第１のトランジスタとそのゲートを制御する発振駆動ＩＣと該発振駆動ＩＣに接続された第２のトランジスタに接続されたサイリスタとを備えており、前記保護回路は前記発振回路の出力に対応する値と前記発振駆動ＩＣの参照電圧値とを比較するコンパレータを有しており、該コンパレータの出力が前記サイリスタに入力されることを特徴とする、請求項１に記載の医用Ｘ線写真観察器。
【請求項３】
前記保護回路は前記発振回路の発振開始時には該発振回路の動作を停止させるための信号の前記制御回路への入力を抑止する動作開始遅延回路を備えていることを特徴とする、請求項１〜２のいずれかに記載の医用Ｘ線写真観察器。
【請求項４】
複数の前記熱陰極線管が互いに平行に隣接して配置されており、これら複数の熱陰極管をまとめて包囲するようにリフレクタが付されていることを特徴とする、請求項１〜３のいずれかに記載の医用Ｘ線写真観察器。
【請求項５】
透過観察される画像担持体を保持する保持部と、該保持部により保持される前記画像担持体の背後に位置する面光源部とを備える医用Ｘ線写真観察器であって、
前記面光源部は複数の面光源素子を備えており、該面光源素子のそれぞれは一次光源と導光板とを有しており、該導光板は前記一次光源と対向する光入射端面と前記一次光源から発せられ前記光入射端面に入射し導光される光を出射する光出射面とを有しており、前記複数の面光源素子は互いに隣接するものの隣接端部に前記一次光源が位置し且つ前記導光板同士が略同一平面上に位置するように配列されており、
前記面光源素子の互いに隣接するものの隣接端部同士にわたって光制御手段が配置されており、該光制御手段は前記一次光源と前記保持部により保持される前記画像担持体との間に配置される光透過反射部材及び色温度変換部材を有するものであることを特徴とする医用Ｘ線写真観察器。
【請求項６】
前記光制御手段と前記保持部により保持される前記画像担持体との間に光拡散部材が配置されていることを特徴とする、請求項５に記載の医用Ｘ線写真観察器。
【請求項７】
前記光透過反射部材は拡散反射性を有することを特徴とする、請求項５〜６のいずれかに記載の医用Ｘ線写真観察器。
【請求項８】
前記一次光源は前記光入射端面及び光出射面の双方と平行に延在する線状光源であり、前記光拡散部材は前記線状光源と直交する断面の形状が前記保持部に向かって凸の山形状をなしていることを特徴とする、請求項７に記載の医用Ｘ線写真観察器。
【請求項９】
前記一次光源は前記光入射端面及び光出射面の双方と平行に延在する線状光源であり、前記光制御手段は前記線状光源と直交する断面の形状が前記保持部に向かって凸の曲線状をなしていることを特徴とする、請求項５〜８のいずれかに記載の医用Ｘ線写真観察器。
【請求項１０】
前記複数の面光源素子のいずれかには前記隣接端部と反対側の端部にリフレクタの付された一次光源が位置していることを特徴とする、請求項５〜９のいずれかに記載の医用Ｘ線写真観察器。
【請求項１１】
前記面光源素子は前記一次光源の駆動のための電子安定器を有しており、
前記一次光源は熱陰極管からなり、前記電子安定器は交流を直流に変換する整流回路部と該整流回路部で得られる直流を高周波電流に変換するインバータ部とを有しており、該インバータ部は発振回路と該発振回路の動作を制御する制御回路とを有し、前記発振回路が前記熱陰極管に接続されており、
前記電子安定器は前記発振回路の出力が所定範囲から外れたときに該発振回路の動作を停止させるための信号を前記制御回路へと入力する保護回路を備えていることを特徴とする、請求項５〜１０のいずれかに記載の医用Ｘ線写真観察器。
【請求項１２】
前記制御回路は前記発振回路の動作制御のための第１のトランジスタとそのゲートを制御する発振駆動ＩＣと該発振駆動ＩＣに接続された第２のトランジスタに接続されたサイリスタとを備えており、前記保護回路は前記発振回路の出力に対応する値と前記発振駆動ＩＣの参照電圧値とを比較するコンパレータを有しており、該コンパレータの出力が前記サイリスタに入力されることを特徴とする、請求項５〜１１のいずれかに記載の医用Ｘ線写真観察器。
【請求項１３】
前記保護回路は前記発振回路の発振開始時には該発振回路の動作を停止させるための信号の前記制御回路への入力を抑止する動作開始遅延回路を備えていることを特徴とする、請求項５〜１２のいずれかに記載の医用Ｘ線写真観察器。
【請求項１４】
前記保持部は前記面光源部に対して着脱可能とされていることを特徴とする、請求項１〜１３のいずれかに記載の医用Ｘ線写真観察器。
【発明の詳細な説明】
【技術分野】
【０００１】
本発明は、医療においてＸ線写真フィルムに記録された写真画像を透過照明により観察するのに使用される照明器具である医用Ｘ線写真観察器に関するものである。
【背景技術】
【０００２】
医用Ｘ線写真観察器は、従来、光拡散板の背後に蛍光灯などの光源を配置してなるものが用いられており、光拡散板の前面上に撮影及び現像済みのＸ線写真フィルムを配置し、これを光源による背面照明下で読影するのに使用される。
【０００３】
このような従来の医用Ｘ線写真観察器では、光源を光拡散板に対して近付け過ぎると光拡散板上での輝度の均一性が低下するので、光源は光拡散板からある程度離して配置することが必要である。従って、従来の医用Ｘ線写真観察器は、厚みが大きく、従って重量も大きく、一般に壁に埋め込まれたり或いは壁面上に取り付けられたりして固定配置で使用されている。
【０００４】
しかるに、最近では、医用Ｘ線写真観察器を、固定配置しておくのではなく、必要に応じて所要の場所へと携行し、例えば入院患者の病室まで携行して、使用することが要求されている。その場合、医用Ｘ線写真観察器の薄型化及び軽量化が必要である。
【０００５】
医用Ｘ線写真観察器の薄型化を図るために、例えば特開２００３―２５５３３９号公報（特許文献１）には、導光板に隣接して蛍光灯などの線状光源を配置し、該線状光源から発せられた光をこれに対向する導光板の光入射端面に入射させ、導光板の一方の主面である光出射面から光を出射させ該光出射面を二次光源として利用する、所謂エッジライト方式の医用Ｘ線写真観察器を構成することが開示されている。このようなエッジライト方式の医用Ｘ線写真観察器によれば、光源から発せられる熱が光出射面の中央部にまで伝達されにくくなり、冷発光面が得られるので、保持されるＸ線写真フィルムのカールや品質劣化が生じにくくなる。
【０００６】
一方、医用Ｘ線写真観察器は医療における診断に利用するものであるため、医師等による正確な読影が可能となるように、所要の輝度が得られるものでなければならない。上記エッジライト方式の医用Ｘ線写真観察器は、一次光源の数が制限されるので、光拡散板の背後に蛍光灯を配置する方式のものに比べて、輝度の向上が難しいという問題点がある。
【０００７】
医用Ｘ線写真観察器の光学的性能に関してはＪＩＳ−Ｚ−４９１８−１９９５に規定がある。エッジライト方式により医用Ｘ線写真観察器の薄型化及び軽量化を実現する際には、上記ＪＩＳ−Ｚ−４９１８−１９９５で規定される輝度性能が実現されるようにしなければならない。
【０００８】
また、近年の医療分野における画像診断の進歩はめざましく、患部を多数のカットで断層撮影することが多用されている。そのような場合には、全てのカットは１枚の写真フィルムでは収まらず複数枚の写真フィルムに分けて収載することになる。写真画像を用いた医師による病気の診断または患者への説明などの際には、同一患部に関するカットはできるだけ同時に観察し読影することが好ましい。
【０００９】
しかるに、上記の如く輝度の向上が難しいエッジライト方式の医用Ｘ線写真観察器において、特に観察面の寸法が大きくなると、観察面の中央部では一次光源からの距離が大きくなるので一次光源近傍の観察面縁部に比べて輝度が低くなりやすく、観察面全体での輝度の均一性が低下しやすい。このため、従来のエッジライト方式の医用Ｘ線写真観察器を用いて複数枚の写真を同時に観察し読影する場合には、隣接配置された複数台の医用Ｘ線写真観察器を使用することが必要である。
【特許文献１】特開２００３―２５５３３９号公報
【発明の開示】
【発明が解決しようとする課題】
【００１０】
本発明の目的は、薄型化及び軽量化が容易で上記ＪＩＳ−Ｚ−４９１８−１９９５で規定される輝度性能の実現が容易なエッジライト方式の医用Ｘ線写真観察器を提供することにある。
【００１１】
本発明の更なる目的は、複数枚の写真を同時に観察し読影するのを可能にする輝度均一性に優れたエッジライト方式の医用Ｘ線写真観察器を提供することにある。
【課題を解決するための手段】
【００１２】
本発明によれば、上記の課題のいずれかを解決するものとして、
透過観察される画像担持体を保持する保持部と、該保持部により保持される前記画像担持体の背後に位置する面光源部とを備える医用Ｘ線写真観察器であって、
前記面光源部は一次光源と導光板と前記一次光源の駆動のための電子安定器とを有しており、前記導光板は前記一次光源と対向する光入射端面と前記一次光源から発せられ前記光入射端面に入射し導光される光を出射する光出射面とを有しており、
前記一次光源は熱陰極管からなり、前記電子安定器は交流を直流に変換する整流回路部と該整流回路部で得られる直流を高周波電流に変換するインバータ部とを有しており、該インバータ部は発振回路と該発振回路の動作を制御する制御回路とを有し、前記発振回路が前記熱陰極管に接続されており、
前記電子安定器は前記発振回路の出力が所定範囲から外れたときに該発振回路の動作を停止させるための信号を前記制御回路へと入力する保護回路を備えていることを特徴とする医用Ｘ線写真観察器、
が提供される。
【００１３】
本発明の一態様においては、前記制御回路は前記発振回路の動作制御のための第１のトランジスタとそのゲートを制御する発振駆動ＩＣと該発振駆動ＩＣに接続された第２のトランジスタに接続されたサイリスタとを備えており、前記保護回路は前記発振回路の出力に対応する値と前記発振駆動ＩＣの参照電圧値とを比較するコンパレータを有しており、該コンパレータの出力が前記サイリスタに入力される。本発明の一態様においては、前記保護回路は前記発振回路の発振開始時には該発振回路の動作を停止させるための信号の前記制御回路への入力を抑止する動作開始遅延回路を備えている。本発明の一態様においては、複数の前記熱陰極線管が互いに平行に隣接して配置されており、これら複数の熱陰極管をまとめて包囲するようにリフレクタが付されている。
【００１４】
本発明によれば、上記の課題のいずれかを解決するものとして、
透過観察される画像担持体を保持する保持部と、該保持部により保持される前記画像担持体の背後に位置する面光源部とを備える医用Ｘ線写真観察器であって、
前記面光源部は複数の面光源素子を備えており、該面光源素子のそれぞれは一次光源と導光板とを有しており、該導光板は前記一次光源と対向する光入射端面と前記一次光源から発せられ前記光入射端面に入射し導光される光を出射する光出射面とを有しており、前記複数の面光源素子は互いに隣接するものの隣接端部に前記一次光源が位置し且つ前記導光板同士が略同一平面上に位置するように配列されており、
前記面光源素子の互いに隣接するものの隣接端部同士にわたって光制御手段が配置されており、該光制御手段は前記一次光源と前記保持部により保持される前記画像担持体との間に配置される光透過反射部材及び色温度変換部材を有するものであることを特徴とする医用Ｘ線写真観察器、
が提供される。
【００１５】
本発明の一態様においては、前記光制御手段と前記保持部により保持される前記画像担持体との間に光拡散部材が配置されている。本発明の一態様においては、前記光透過反射部材は拡散反射性を有する。本発明の一態様においては、前記一次光源は前記光入射端面及び光出射面の双方と平行に延在する線状光源であり、前記光拡散部材は前記線状光源と直交する断面の形状が前記保持部に向かって凸の山形状をなしている。本発明の一態様においては、前記一次光源は前記光入射端面及び光出射面の双方と平行に延在する線状光源であり、前記光制御手段は前記線状光源と直交する断面の形状が前記保持部に向かって凸の曲線状をなしている。本発明の一態様においては、前記複数の面光源素子のいずれかには前記隣接端部と反対側の端部にリフレクタの付された一次光源が位置している。
【００１６】
本発明の一態様においては、前記面光源素子は前記一次光源の駆動のための電子安定器を有しており、前記一次光源は熱陰極管からなり、前記電子安定器は交流を直流に変換する整流回路部と該整流回路部で得られる直流を高周波電流に変換するインバータ部とを有しており、該インバータ部は発振回路と該発振回路の動作を制御する制御回路とを有し、前記発振回路が前記熱陰極管に接続されており、前記電子安定器は前記発振回路の出力が所定範囲から外れたときに該発振回路の動作を停止させるための信号を前記制御回路へと入力する保護回路を備えている。
【００１７】
本発明の一態様においては、前記制御回路は前記発振回路の動作制御のための第１のトランジスタとそのゲートを制御する発振駆動ＩＣと該発振駆動ＩＣに接続された第２のトランジスタに接続されたサイリスタとを備えており、前記保護回路は前記発振回路の出力に対応する値と前記発振駆動ＩＣの参照電圧値とを比較するコンパレータを有しており、該コンパレータの出力が前記サイリスタに入力される。本発明の一態様においては、前記保護回路は前記発振回路の発振開始時には該発振回路の動作を停止させるための信号の前記制御回路への入力を抑止する動作開始遅延回路を備えている。
【００１８】
本発明の一態様においては、前記保持部は前記面光源部に対して着脱可能とされている。
【発明の効果】
【００１９】
以上のような本発明の医用Ｘ線写真観察器によれば、エッジライト方式の面光源部を使用し、その一次光源として熱陰極管を使用し、その駆動のために、交流を直流に変換する整流回路部と該整流回路部で得られる直流を高周波電流に変換するインバータ部とを有する電子安定器を使用し、ここで前記インバータ部として発振回路と該発振回路の動作を制御する制御回路とを有するものを使用し、前記発振回路を前記熱陰極管に接続し、前記電子安定器には更に前記発振回路の出力が所定範囲から外れたときに該発振回路の動作を停止させるための信号を前記制御回路へと入力する保護回路を設けたことにより、薄型化及び軽量化が容易になり、ＪＩＳ−Ｚ−４９１８−１９９５で規定される輝度性能の実現が容易になる。
【００２０】
また、以上のような本発明の医用Ｘ線写真観察器によれば、複数のエッジライト方式の面光源素子により面光源部を構成し、面光源素子の互いに隣接するものの隣接端部同士にわたって光制御手段を配置し、該光制御手段として一次光源と保持部により保持される画像担持体との間に配置される光透過反射部材及び色温度変換部材を有するものを用いることにより、輝度均一性の良好な大観察画面の医用Ｘ線写真観察器が得られ、１台の医用Ｘ線写真観察器にて優れた輝度均一性をもって複数枚の写真を同時に観察し読影することが可能になる。
【発明を実施するための最良の形態】
【００２１】
以下、図面を参照しながら、本発明の実施の形態を説明する。
【００２２】
図１は本発明による医用Ｘ線写真観察器の一つの実施形態を示す正面／断面図であり、図２は図１の医用Ｘ線写真観察器の分解右側面図であり、図３〜図５はそれぞれ図１のＥ断面図、Ａ／Ｂ部分断面図及びＣ部分断面図である。また、図６及び図７は、いずれも面光源部に対する保持部の着脱可能な取り付け状態を示す部分断面図である。
【００２３】
本実施形態の医用Ｘ線写真観察器は、透過観察される画像担持体（例えば撮影及び現像済みのＸ線写真フィルム）を保持する保持部２と、保持部により保持される画像担持体の背後に位置する面光源部４とを備えている。
【００２４】
保持部２は、前面板２０と、該前面板の上下辺部及び左右辺部に適合された上下辺及び左右辺の枠材２１と、上辺枠材２１に付されたクリップ２２と、隣接枠材同士を結合するためのコーナージョイント２３とを有する。クリップ２２は、図５に示されているように、前面板２０の上辺部上まで延び出ており、その下端縁部と前面板２０との間にＸ線写真フィルムの上辺部を挟持することができる。前面板２０は、例えばガラスまたは合成樹脂等からなる透光性を有する板であり、その厚さは例えば２ｍｍ〜３ｍｍ程度である。前面板２０は光拡散性を有するものとすることができる。例えば、前面板２０として、光拡散剤を分散したものを使用したり、背面を光拡散性付与のために粗面化したり、又は背面に光拡散シートを接合したりすることができる。
【００２５】
面光源部４は導光板４０を有する。導光板４０は、アクリル系樹脂などの透光性合成樹脂からなる矩形板であり、その厚さは例えば８ｍｍ〜１２ｍｍ程度である。導光板４０の互いに平行な２つの端面が光入射端面４０ａとされており、２つの主面のうちの一方である前面が光出射面４０ｂとされており、他の主面が裏面４０ｃである。前面板２０が光拡散性を有するか否かにかかわらず（前面板２０が光拡散性を有しない場合には特に）、導光板の光出射面４０ｂ上に光拡散シートを配置することができる。
【００２６】
光出射面４０ｂまたは裏面４０ｃには、熱陰極管４１から発せられ一部リフレクタ４２で反射され光入射端面４０ａに入射し導光される光を適度に出射させるための光出射機能構造が形成されている。光出射機能構造としては、粗面や、レンズ列例えばレンチキュラーレンズ列が例示される。導光板４０の裏面４０ｃには、該裏面から出射する光を再入射させるための光反射シートが付設されている。光反射シートを使用する代わりに、裏面４０ｃに光反射層を形成してもよい。
【００２７】
面光源部４は、導光板の各光入射端面４０ａの長手方向に沿って該光入射端面に隣接し対向して配置された線状の一次光源としての熱陰極管４１を有する。熱陰極管４１の発光部は、光入射端面４０の全長にわたって延びている。導光板４０に入射する光量を増加させるために、各光入射端面４０ａにつき２つの熱陰極管４１が配置されており、これらは互いに平行に隣接して配列されている。これら２つの熱陰極管４１をまとめて包囲するようにリフレクタ４２が付されている。
【００２８】
面光源部４は、導光板４０、熱陰極管４１及びリフレクタ４２を保持するための矩形環状の枠体４４を有する。保持は適宜のブラケットを用いてなされる。枠体４４の四隅部の外面側には、透光性合成樹脂からなるコーナーキャップ４５が付されている。熱陰極管４１が点灯中の場合には、光の一部がコーナーキャップ４５に到達して、ここから外部へと出射するので、前面板２０が遮光体で覆われていたとしても、コーナーキャップ４５を見ることで、熱陰極管４１が点灯中であるか否かを外部から確認することができる。枠体４４には、背面側に、医用Ｘ線写真観察器を外部の部材例えば壁に固定されたフックに取り付ける際に使用される係止部材４６が付設されている。
【００２９】
図７に示されているように、保持部２の下辺枠材２１は、面光源部４の枠体４４の下辺部に対して斜め前上方から係止可能とされている。一方、図６に示されているように、保持部２の上辺枠材２１には、ロック部材２５が付設されており、これに対応して面光源部４の枠体４４の上辺部にはロック部材係合部４８が形成されている。保持部２を図７に示される状態から係止部を中心として回動させ、次いで図６に示されるように面光源部４に対し適合させ、外部からコインＣなどでロック部材２５を回転させることで、該ロック部材２５をロック部材係合部４８に係合してロックすることができる。これと逆の操作により、面光源部４から保持部２を取り外すことができる。かくして、保持部２は面光源部４に対して着脱可能である。
【００３０】
面光源部４は、熱陰極管４１の駆動のための電子安定器５０を有している。該電子安定器５０は、枠体４４の上辺部及び下辺部にそれぞれ配置されており、下辺部に位置するものが左辺部に位置する熱陰極管４１の駆動に用いられ、上辺部に位置するものが右辺部に位置する熱陰極管４１の駆動に用いられる。該電子安定器５０には、枠体４４の下辺部に配置されたスイッチ５１を介して外部商用電源から交流が供給される。
【００３１】
図８〜図１０に、電子安定器５０の回路図を示す。これらの図において、ＣＮ１はスイッチ５１を介して交流１００Ｖが供給される入力コネクタであり、ＣＮ２，ＣＮ３は一方の熱陰極管４１の両端の端子部に接続される出力コネクタであり、ＣＮ４，ＣＮ５は他方の熱陰極管４１の両端の端子部に接続される出力コネクタである。
【００３２】
入力コネクタＣＮ１と出力コネクタＣＮ２〜ＣＮ５との間に配置された電子安定器５０は、交流を直流に変換する整流回路部を有する。整流回路部は、ヒューズＦ１、バリスタＺＮＲ１、コンデンサＣ１、ノイズフィルタＬ１、ダイオードブリッジＤ１、サーミスタＴＨ１、電解コンデンサＣ２，Ｃ３、抵抗体Ｒ１を含んでなる。
【００３３】
電子安定器５０は、上記整流回路部で得られる直流を高周波電流に変換するインバータ部を有する。インバータ部は、図８及び図９で示される回路部分のうち、入力コネクタＣＮ１、出力コネクタＣＮ２〜ＣＮ５及び整流回路部を除いた部分であり、発振回路と該発振回路の動作を制御する制御回路とを有する。
【００３４】
出力コネクタＣＮ２，ＣＮ３に接続された発振回路は、コンデンサＣ１０、出力トランスＴ１及びチョークコイルＬ２を含んでなる。また、出力コネクタＣＮ４，ＣＮ５に接続された発振回路は、コンデンサＣ１１、出力トランスＴ２及びチョークコイルＬ３を含んでなる。これら発振回路を制御する制御回路は、発振回路の動作制御のための第１のトランジスタＱ７，Ｑ８とこれらのゲートを制御する発振駆動ＩＣ（ＩＣ１）と該発振駆動ＩＣに接続された第２のトランジスタＱ４に接続されたサイリスタＱ３とを備えている。
【００３５】
インバータ部は、その他の図示されるダイオード、ツェナーダイオード、トランジスタ、コンデンサ及び抵抗体を含む。
【００３６】
電子安定器５０は、更に、図１０に示される保護回路を備えている。保護回路は、上記出力コネクタＣＮ２，ＣＮ３に接続された発振回路の出力に対応する値と発振駆動ＩＣの参照電圧値Ｖｒｅｆとを比較し、更に出力コネクタＣＮ４，ＣＮ５に接続された発振回路の出力に対応する値と発振駆動ＩＣの参照電圧値Ｖｒｅｆとを比較するコンパレータＩＣ（ＩＣ２）を有しており、該コンパレータＩＣ２の出力が上記制御回路のサイリスタＱ３に入力される。
【００３７】
次に、本実施形態の電子安定器の動作を説明する。点灯開始前のある程度の時間（熱陰極管のフィラメント予熱時間：数秒程度）経過の後に、制御回路により制御された発振回路が４０ｋＨｚ〜５０ｋＨｚ程度の高周波で発振し、熱陰極管に対して点灯開始の瞬間に５００Ｖ程度の始動電圧を印加し、その後１００Ｖ程度の電圧でフィラメントから電子を安定的に放出させ、これにより放電が継続し、安定した発光状態（定常状態）が得られる。
【００３８】
本実施形態では、一次光源として熱陰極管を使用しているので、一次光源として冷陰極管を使用したものに比べて、同等の電圧でも高い（例えば３倍程度の）輝度を得ることができる。従って、所要の輝度を得るための電圧は、一次光源として冷陰極管を使用した２ｋＶもの始動電圧印加を必要とするものに比べて著しく低くすることができ、その分、安定した回路特性を得ることができる。これにより、ＪＩＳ−Ｚ−４９１８−１９９５で規定される輝度性能をエッジライト方式にて実現することが容易になり、且つ始動時の瞬時高電圧による雑音も一次光源として冷陰極管を使用したものに比べて大幅に低減でき他の医用機器に与える影響が低減される。本実施形態の電子安定器は、他励式で動作上フライバック方式となっているので、一層の高輝度が得られるものと考えられる。
【００３９】
ところで、一次光源として熱陰極管を使用する場合には、該熱陰極管のフィラメントに塗布された電子放射物質が消費し尽くされると、管内での電子放射が減少し、正常な放電が維持できなくなる。その場合には、フィラメントがインピーダンス上昇により発熱し高温になる。この異常状態でインバータ部での発振を継続すると、熱陰極管が溶融したり、回路部品が発熱により発煙したり燃え出したりすることがある。
【００４０】
そこで、本実施形態では、異常時の熱陰極管のインピーダンス上昇に伴う発振回路出力の変化（具体的には１０〜２０Ｖ程度の電圧上昇）を検知して、発振回路の動作を停止する。即ち、保護回路において、コンパレータＩＣには、抵抗体Ｒ２５により検知される一方の熱陰極管への印加電圧に対応する値、及び抵抗体Ｒ３０により検知される他方の熱陰極管への印加電圧に対応する値が入力され、これらが発振駆動ＩＣの参照電圧値とそれぞれ比較され、少なくとも一方の熱陰極管への印加電圧が予め定められた値より大きくなった場合（例えば１０Ｖ以上大きくなった場合）には、コンパレータＩＣからハイレベル信号が出力され、これにより、制御回路のサイリスタＱ３を作動させる。これにより、制御回路が発振回路の動作を停止させて、インバータ部での異常状態での発振の継続による熱陰極管の溶融或いは回路部品の発熱による発煙または燃え出しを防止することができる。このようにして発振が停止した（即ち熱陰極管に対する電源供給の停止した）インバータ部の動作を再開するためには、電源を再投入する。
【００４１】
尚、点灯開始から上記定常状態に至るまでの間に、保護回路では上記異常状態の場合と同様な信号が検知される。そこで、本実施形態では、ダイオードＤ７、抵抗体Ｒ２０及び電解コンデンサＣ１６を含む回路部分により、発振回路の発振開始時には該発振回路の動作を停止させるための上記の信号の制御回路（具体的にはサイリスタＱ３）への入力を抑止する動作開始遅延回路を構成している。これにより、不要な発振停止を防止することができる。
【００４２】
図１１は本発明による医用Ｘ線写真観察器の他の一つの実施形態を示す模式的正面図であり、図１２は図１１の医用Ｘ線写真観察器の一部切欠部分正面図であり、図１３は図１２の横断面図である。また、図１４は図１３の部分拡大図である。これらの図において、上記図１〜図１０におけると同様の機能を有する部材または部分には同一の符号が付されている。
【００４３】
本実施形態においては、面光源部４は２つの面光源素子４Ａ，４Ｂを備えている。面光源素子４Ａは、上記図１〜図１０に関し説明した実施形態（以下において、単に「上記実施形態」という）と同様な線状の一次光源（熱陰極管）４１Ａと導光板４０Ａとを有している。導光板４０Ａは、一次光源４１Ａと対向する光入射端面４０Ａａと、一次光源４１Ａから発せられ光入射端面４０Ａａに入射し当該光板内で導光される光を出射する光出射面４０Ａｂと、該光出射面と反対側の裏面４０Ａｃとを有している。同様に、面光源素子４Ｂは、線状の一次光源（熱陰極管）４１Ｂと導光板４０Ｂとを有している。導光板４０Ｂは、一次光源４１Ｂと対向する光入射端面４０Ｂａと、一次光源４１Ｂから発せられ光入射端面４０Ｂａに入射し当該光板内で導光される光を出射する光出射面４０Ｂｂと、該光出射面と反対側の裏面４０Ｂｃとを有している。
【００４４】
即ち、面光源素子４Ａ，４Ｂは、上記実施形態の面光源部の構成と同様である。但し、本実施形態では、上記実施形態とは異なり、互いに隣接する面光源素子４Ａ，４Ｂの隣接端部に位置する一次光源４１Ａ，４１Ｂにはリフレクタが付されていない。
【００４５】
本実施形態では、一次光源４１Ａ，４１Ｂと画像担持体を保持する保持部２の前面板２０との間において、互いに隣接する面光源素子４Ａ，４Ｂの隣接端部同士にわたって、光制御手段６０と光拡散部材６１とからなる接合部光学構造６が配置されている。光制御手段６０は、図１５に示されるように、光透過反射部材６０ａ及び色温度変換部材６０ｂを有する。光制御手段６０は、線状一次光源４１Ａ，４１Ｂと直交する断面（即ち、図１３及び図１４に示される断面）の形状が保持部２の前面板２０に向かって凸の曲線状をなしている。即ち、光制御手段６０は、図１３及び図１４の紙面と直交する方向に延びた略円筒面形状をなしている。
【００４６】
光透過反射部材６０ａは、光制御手段６０を通過して出射する光と導光板４０Ａ，４０Ｂを通過して光出射面４０Ａｂ，４０Ｂｂから出射する光とがその強度においてできるだけ均等なものに近づくように、その光透過及び光反射の割合が適宜選択される。この割合を光透過率により代表的に表すとして、この光透過率は、導光板４０Ａ，４０Ｂの構成に応じて変わるが、一例を挙げれば９〜１２％である。この光透過反射部材６０は、例えばフィルム状をなしており、拡散反射性を有するのが好ましい。
【００４７】
色温度変換部材６０ｂは、光制御手段６０を通過して出射する光と導光板４０Ａ，４０Ｂを通過して光出射面４０Ａｂ，４０Ｂｂから出射する光とがその色温度においてできるだけ均等なものに近づくように、その色温度変換の程度が適宜選択される。この色温度変換の程度は、導光板４０Ａ，４０Ｂの構成に応じて変わるが、一例を挙げれば入射光の色温度を６００〜１０００Ｋ高めて出射させるものである。この色温度変換部材６０ｂは、例えばフィルム状をなしており、光透過反射部材６０ａと接合されているのが好ましい。
【００４８】
光拡散部材６１としては、例えばアクリル樹脂製の乳半板を使用することができる。光拡散部材６１は、線状一次光源４１Ａ，４１Ｂと直交する断面の形状が保持部２の前面板２０に向かって凸の山形状をなしている。即ち、光拡散部材６１は、図１３及び図１４の紙面と直交する方向に延びた角柱面形状をなしている。図１６は光拡散部材６１の側面図であり、ここには光拡散部材６１の寸法の一例が示されている。光拡散部材６１は、光制御手段６０を通過して出射する光と導光板４０Ａ，４０Ｂを通過して光出射面４０Ａｂ，４０Ｂｂから出射する光とがその出射方向分布においてできるだけ均等なものに近づくように、その光拡散性の程度が適宜選択される。
【００４９】
面光源素子４Ａ，４Ｂのそれぞれの隣接端部と反対側の端部（例えば、面光源素子４Ａについていえば、図１２及び図１３における左側の端部）に配置された一次光源４１Ａには、上記実施形態と同様にリフレクタ４２が付されている。尚、図１３には、枠材２１に付された吊し糸２７、及び隣接端部において一次光源４１Ａ，４１Ｂに近接配置されたヒートシンク５３が示されている。また、図１２には、上記実施形態の電子安定器５０と同様な電子安定器５０Ａ、及び上記実施形態のスイッチ５１と同様なスイッチ５１Ａ，５１Ｂが示されている。
【００５０】
次に、本実施形態の光制御手段６０の作用について説明する。該光制御手段６０に対応して位置する一次光源４１Ａ，４１Ｂから発せられた光は、それぞれその一部が直接または光透過反射部材６０ａによる拡散反射等の反射を受けた後に光入射端面４０Ａａ，４０Ｂａから導光板４０Ａ，４０Ｂ内へと導入される。導光板４０Ａ，４０Ｂ内へと導入された光は、上記実施形態と同様にして導光板内を導光せしめられ、適宜光出射面４０Ａｂ，４０Ｂｂから出射する。この点の面光源素子４Ａ，４Ｂの作用は上記実施形態の面光源部４のものと同様である。但し、本実施形態では、該光制御手段６０に対応して位置する一次光源４１Ａ，４１Ｂから発せられた光の他の一部は光透過反射部材６０ａを透過し、更に色温度変換部材６０ｂを通過する。かくして、色温度変換部材６０ｂから出射する光は、導光板光出射面４０Ａｂ，４０Ｂｂから出射する光と、強度及び色温度の点で近づいたものとされる。即ち、本実施形態の光制御手段６０は、そこを通過して出射する光と導光板４０Ａ，４０Ｂを通過して光出射面４０Ａｂ，４０Ｂｂから出射する光とをできるだけ均等になるようにするためのものである。
【００５１】
光制御手段６０から出射する光は、光拡散部材６１を透過し、その際に拡散せしめられる。光拡散部材６１が配置されていることで、該光拡散部材６１を含む接合部光学構造６に対応する観察面領域の観察に際しても一次光源の形状に基づく線状の明暗模様即ちランプイメージが視認されることはなくなる。このような作用を高めるためには、上記のような光制御手段６０及び光拡散部材６１の形状（即ち、保持部２の前面板２０に向かって凸の形状）が好ましい。
【００５２】
以上のように、本実施形態によれば、面光源素子４Ａ，４Ｂを配列してなる面光源部４の全体に対して保持部前面板２０を配置しているにもかかわらず、面光源素子４Ａ，４Ｂの上記隣接端部に対応する境界部分（接合部光学構造６に対応する境界部分）において、他の観察面部分と実質的に同等な輝度を実現することができ、大きな観察面寸法であっても、良好な輝度均一性を維持しつつ観察及び読影することが可能である。
【００５３】
本実施形態では、上記実施形態と同様な電子安定器５０Ａ等を用いた各光源素子４Ａ，４Ｂの一次光源４１Ａ，４１Ｂの駆動を行うことができる。但し、それに限定されるものではなく、その他の適宜の駆動回路により駆動することができる。
【００５４】
本実施形態では面光源部４が２つの面光源素子４Ａ，４Ｂからなるものとしているが、同様にして３つ以上の面光源素子を配列した面光源部が可能であることは容易に理解される。その場合、面光源素子の互いに隣接するもの毎に、それらの隣接端部にわたって上記のような光制御手段６０及び必要に応じて光拡散部材６１からなる接合部光学構造６を配置する。
【００５５】
本発明の医用Ｘ線写真観察器により観察及び読影される対象物である画像担持体は、必ずしもＸ線写真撮影により得られたものに限定されない。即ち、本発明の医用Ｘ線写真観察器は、画像担持体として例えば磁気共鳴吸収を利用して撮影された写真や電子線照射または超音波照射等を利用して撮影された写真などを使用するものをも含むものである。
【実施例】
【００５６】
以下、本発明による医用Ｘ線写真観察器の実施例を示す。
【００５７】
［実施例１］
本実施例では、上記図１〜図１０の実施形態に関し説明したような医用Ｘ線写真観察器を作製した。ここでは、熱陰極管として管径８ｍｍで発光部長４７０ｍｍのものを使用し、導光板として厚さ１０ｍｍのものを使用し、有効発光面寸法は４３２ｍｍｘ３６１．６ｍｍであった。また、電子安定器において、以下の部品を使用した。
【００５８】
Ｄ１  ダイオードブリッジ：Ｓ１ＮＢ２０（新電元社製）
Ｄ２，Ｄ４，Ｄ５，Ｄ７，Ｄ８，Ｄ９  ダイオード：ＭＡ１１１（松下社製）
Ｄ３  ダイオード：ＥＧ０１（サンケン社製）
Ｄ６  ダイオード：１Ｓ２８３７（ＮＥＣ社製）
ＴＨ１  サーミスタ：２２Ｄ７（石塚社製）
ＩＣ１  発振駆動ＩＣ：ＵＣ３８４５Ｎ（コントロールＩＣ社製）
ＩＣ２  コンパレータＩＣ：μＰＣ３３９Ｇ２（ＮＥＣ社製）
ＺＤ１  ツェナーダイオード：ＲＤ１２Ｍ（ＮＥＣ社製）
ＺＤ２  ツェナーダイオード：ＲＤ２０Ｍ（ＮＥＣ社製）
ＺＤ３  ツェナーダイオード：ＲＤ７．５Ｍ（ＮＥＣ社製）
Ｑ１  トランジスタ：２ＳＡ８１２（ＮＥＣ社製）
Ｑ２  トランジスタ：ＦＡ１Ｌ３Ｚ（ＮＥＣ社製）
Ｑ３  サイリスタ：Ｏ３Ｐ２Ｍ（ＮＥＣ社製）
Ｑ４，Ｑ５  トランジスタ：ＦＮ１Ａ４Ｍ（ＮＥＣ社製）
Ｑ６  トランジスタ：ＦＡ１Ａ４Ｍ（ＮＥＣ社製）
Ｑ７，Ｑ８  トランジスタ：２ＳＫ２６０５（東芝社製）
Ｌ２，Ｌ３  チョークコイル：Ｓ９２５３（サイテック社製）
Ｔ１，Ｔ２  出力トランス：Ｓ９２５２（サイテック社製）。
【００５９】
電源投入し、３０分経過後の定常状態で、ＪＩＳ−Ｚ−４９１８−１９９５に従い、観察面（有効発光面）の中央の輝度、光の拡散性を示す評価値Ｓ及び輝度の均一性を示す評価値Ｔを得た。測定にはミノルタ社製輝度計ＬＳ１１０を使用した。測定結果は、以下に示す通りであった。
【００６０】
（１）中央の輝度：３７３０［ｃｄ／ｍ２］
（２）Ｓ値：０．９７
中央における面法線方向からそれぞれ５度、２０度及び４５度の角度をなす方向の輝度Ｌ５，Ｌ２０，Ｌ４５を求めたところ、それぞれ３７２０［ｃｄ／ｍ２］，３６８０［ｃｄ／ｍ２］，３５７０［ｃｄ／ｍ２］であり、従ってＳ＝（Ｌ２０＋Ｌ４５）／（２Ｌ５）＝（３６８０［ｃｄ／ｍ２］＋３５７０［ｃｄ／ｍ２］）／（２ｘ３７２０［ｃｄ／ｍ２］）＝０．９７であった。
【００６１】
（３）Ｔ値：０．７８
ＪＩＳ−Ｚ−４９１８−１９９５に従って観察面を分割し、８行ｘ１０列＝８０の測定点を得た。これら測定点の輝度［ｃｄ／ｍ２］は、表１に示す通りであった。
【００６２】
【表１】
2005316464.tif 000003
【００６３】
最小輝度値を含む下位４番目までの値は２９６０［ｃｄ／ｍ２］，３００３［ｃｄ／ｍ２］，３０１７［ｃｄ／ｍ２］，３０１９［ｃｄ／ｍ２］で、これらの平均値Ｌｍｉｎは３０００［ｃｄ／ｍ２］であり、最大輝度値を含む上位４番目までの値は３８７２［ｃｄ／ｍ２］，３８３９［ｃｄ／ｍ２］，３８３７［ｃｄ／ｍ２］，３８３２［ｃｄ／ｍ２］で、これらの平均値Ｌｍａｘは３８４５［ｃｄ／ｍ２］であり、従ってＴ＝Ｌｍｉｎ／Ｌｍａｘ＝３０００［ｃｄ／ｍ２］／３８４５［ｃｄ／ｍ２］＝０．７８であった。また、以上の８０の測定点の輝度の平均値は３４７６［ｃｄ／ｍ２］であった。
【００６４】
以上の輝度に関する値は、ＪＩＳ−Ｚ−４９１８−１９９５の規定範囲内である。
【００６５】
［実施例２］
本実施例では、上記図１１〜図１６の実施形態に関し説明したような医用Ｘ線写真観察器を作製した。ここでは、各面光源素子において、実施例１と同様に、熱陰極管として管径８ｍｍで発光部長４７０ｍｍのものを使用し、導光板として厚さ１０ｍｍのアクリル樹脂製のものを使用した。電子安定器及びその駆動方法は実施例１と同様にした。光透過反射部材として光反射率１０％程度のフィルム状のものを使用し、色温度変換部材として入射光の色温度を８００Ｋ程度高めて出射させるフィルム状のものを光透過反射部材と接合して使用し、光拡散部材として図１６に示す寸法のアクリル樹脂製の乳半板を使用した。有効発光面寸法は４３２ｍｍｘ７２７ｍｍであった。
【００６６】
電源投入し、３０分経過後の定常状態で、観察面（有効発光面）の４３２ｍｍの辺（短辺）の方向に関して中央の位置であって、７２７ｍｍの辺（長辺）に沿って一方の短辺から５０ｍｍの位置及び他方の短辺から５０ｍｍの位置並びにこれらの位置の間を５等分する等分点である４つの位置の合計６つの位置（一方の短辺から５０ｍｍの位置から順に位置Ａ，Ｂ，Ｃ，Ｄ，Ｅ，Ｆとする）について、輝度を得た。測定にはミノルタ社製輝度計ＬＳ１１０を使用した。測定結果は、表２に示す通りであった。
【００６７】
【表２】
2005316464.tif 000004
【００６８】
輝度均一性は良好であることが分かる。
【図面の簡単な説明】
【００６９】
【図１】本発明による医用Ｘ線写真観察器の一つの実施形態を示す正面／断面図である。
【図２】図１の医用Ｘ線写真観察器の分解右側面図である。
【図３】図１のＥ断面図である。
【図４】図１のＡ／Ｂ部分断面図である。
【図５】図１のＣ部分断面図である。
【図６】面光源部に対する保持部の着脱可能な取り付け状態を示す部分断面図である。
【図７】面光源部に対する保持部の着脱可能な取り付け状態を示す部分断面図である。
【図８】電子安定器の回路図である。
【図９】電子安定器の回路図である。
【図１０】電子安定器の回路図である。
【図１１】本発明による医用Ｘ線写真観察器の一つの実施形態を示す模式的正面図である。
【図１２】図１１の医用Ｘ線写真観察器の一部切欠部分正面図である。
【図１３】図１２の横断面図である。
【図１４】図１３の部分拡大図である。
【図１５】光制御手段の側面図である。
【図１６】光拡散部材の側面図である。
【符号の説明】
【００７０】
２  保持部
２０  前面板
２１  枠材
２２  クリップ
２３  コーナージョイント
２５  ロック部材
２７  吊し糸
４  面光源部
４Ａ，４Ｂ  面光源素子
４０，４０Ａ，４０Ｂ  導光板
４０ａ，４０Ａａ，４０Ｂａ  光入射端面
４０ｂ，４０Ａｂ，４０Ｂｂ  光出射面
４０ｃ，４０Ａｃ，４０Ｂｃ  裏面
４１，４１Ａ，４１Ｂ  熱陰極管
４２  リフレクタ
４４  枠体
４５  コーナーキャップ
４６  係止部材
４８  ロック部材係合部
５０，５０Ａ  電子安定器
５１，５１Ａ，５１Ｂ  スイッチ
５３  ヒートシンク
６０  光制御手段
６０ａ  光透過反射部材
６０ｂ  色温度変換部材
６１  光拡散部材
【図１】
2005316464.tif 000005
【図２】
2005316464.tif 000006
【図３】
2005316464.tif 000007
【図４】
2005316464.tif 000008
【図５】
2005316464.tif 000009
【図６】
2005316464.tif 000010
【図７】
2005316464.tif 000011
【図８】
2005316464.tif 000012
【図９】
2005316464.tif 000013
【図１０】
2005316464.tif 000014
【図１１】
2005316464.tif 000015
【図１２】
2005316464.tif 000016
【図１３】
2005316464.tif 000017
【図１４】
2005316464.tif 000018
【図１５】
2005316464.tif 000019
【図１６】
2005316464.tif 000020